(57)【要約】【課題】ユーザが所有している商品にコーディネートされる商品を自動的にユーザに提示する。【解決手段】コーディネート情報作成提供システムにおいて、予めコーディネートされた商品の組み合わせを格納するサンプル格納手段と、商品の識別情報と、当該商品の画像情報とを対応付けて格納する商品情報格納手段と、新たに登録された商品の画像情報を用いて、当該商品に類似する商品と組み合わせられた商品であるコーディネート対象商品の画像情報を前記サンプル格納手段から取得し、当該画像情報を用いて、前記商品情報格納手段から前記コーディネート対象商品に類似する商品を検出し、当該商品の識別情報と、登録された商品の識別情報とをコーディネート情報格納手段に格納する手段と、ユーザ端末から受信する要求に基づき、前記コーディネート情報格納手段に格納された情報を取得し、前記ユーザ端末に送信する手段とを備える。【選択図】図２
2009199561.tif 000002
【特許請求の範囲】
【請求項１】
通信ネットワークを介して接続されたユーザ端末から要求を受信し、当該要求で指定された商品にコーディネートされ得る商品に関する情報を作成し、当該情報を前記ユーザ端末に送信するためのコーディネート情報作成提供システムであって、
予めコーディネートされた商品の組み合わせを構成する各商品の画像情報を格納するコーディネートサンプル格納手段と、
複数の商品について、少なくとも各商品の識別情報と、当該商品の画像情報とを対応付けて格納する商品情報格納手段と、
前記商品情報格納手段からある商品の識別情報と画像情報とを取得し、当該画像情報を用いて前記コーディネートサンプル格納手段に格納された画像情報に対する類似画像検索を行うことにより、前記ある商品に類似する商品を検出し、当該類似する商品と組み合わせられた商品であるコーディネート対象商品の画像情報を前記コーディネートサンプル格納手段から取得するコーディネート対象商品情報取得手段と、
前記コーディネート対象商品の画像情報を用いて前記商品情報格納手段に格納された画像情報に対する類似画像検索を行うことにより、前記コーディネート対象商品に類似する商品を検出し、当該商品の識別情報と、前記ある商品の識別情報とをコーディネートを構成する組み合わせとしてコーディネート情報格納手段に格納するコーディネート情報生成手段と、
前記ユーザ端末から受信する要求に含まれる前記指定された商品に対してコーディネートされ得る商品の情報を、前記コーディネート情報格納手段に格納された情報を用いることにより作成し、前記ユーザ端末に送信するコーディネート情報提供手段と
を備えたことを特徴とするコーディネート情報作成提供システム。
【請求項２】
前記コーディネート情報提供手段は、
前記指定された商品の画像に類似する画像を有する商品の識別情報を前記商品情報格納手段から取得する類似商品取得手段と、
前記商品情報格納手段から取得した識別情報に対応する商品に対して組み合わせられた商品であるコーディネート対象候補商品の識別情報を前記コーディネート情報格納手段から取得するコーディネート対象候補商品取得手段と、
前記コーディネート対象候補商品の識別情報を用いて前記ユーザ端末に提供する提供情報を作成する提供情報作成手段と
を備えたことを特徴とする請求項１に記載のコーディネート情報作成提供システム。
【請求項３】
前記提供情報作成手段は、
前記コーディネート対象候補商品の識別情報を用いて、前記商品情報格納手段から当該コーディネート対象候補商品に対応する項目情報を取得し、
当該項目情報と、前記ユーザ端末から受信する要求に含まれるユーザの希望に関する項目情報とを用いて、前記コーディネート対象候補商品と、ユーザの希望する商品との類似度を算出し、当該類似度を含む情報を前記提供情報として前記ユーザ端末に提供する
ことを特徴とする請求項２に記載のコーディネート情報作成提供システム。
【請求項４】
前記提供情報作成手段は、
前記コーディネート対象候補商品の識別情報を用いて、前記商品情報格納手段から当該コーディネート対象候補商品のサイズ情報を取得するとともに、ユーザ情報格納手段から前記ユーザの身体サイズ情報を取得し、
前記コーディネート対象候補商品のサイズ情報と前記ユーザの身体サイズ情報とを用いて、前記コーディネート対象候補商品のサイズが前記ユーザの身体のサイズに適合しているか否かを示す指標を算出し、当該指標を含む情報を前記提供情報として前記ユーザ端末に提供する
ことを特徴とする請求項２又は３に記載のコーディネート情報作成提供システム。
【請求項５】
前記提供情報作成手段は、
前記コーディネート対象候補商品の識別情報を用いて、前記商品情報格納手段から当該コーディネート対象候補商品のサイズ情報を取得するとともに、ユーザ情報格納手段から前記ユーザの身体サイズ情報を取得し、
前記コーディネート対象候補商品のサイズ情報と前記ユーザの身体サイズ情報とを用いて、前記コーディネート対象候補商品のサイズが前記ユーザの身体のサイズに適合しているか否かを示す指標を算出し、
前記指標の大きさに応じたドット間隔で並べられた複数のドットを含む画像と、前記コーディネート対象候補商品の画像とを重ね合わせた画像を作成し、当該画像を含む情報を前記提供情報として前記ユーザ端末に提供する
ことを特徴とする請求項２又は３に記載のコーディネート情報作成提供システム。  
【請求項６】
通信ネットワークを介して接続されたユーザ端末から要求を受信し、当該要求で指定された商品にコーディネートされ得る商品に関する情報を作成し、当該情報を前記ユーザ端末に送信するためのコーディネート情報作成提供システムであって、
予めコーディネートされた商品の組み合わせを構成する各商品の商品情報を格納するコーディネートサンプル格納手段と、
複数の商品について、少なくとも各商品の識別情報と、当該商品の商品情報とを対応付けて格納する商品情報格納手段と、
前記商品情報格納手段からある商品の識別情報と商品情報とを取得し、当該商品情報を用いて、前記コーディネートサンプル格納手段から前記ある商品に類似する商品を検出し、当該類似する商品と組み合わせられた商品であるコーディネート対象商品の商品情報を前記コーディネートサンプル格納手段から取得するコーディネート対象商品情報取得手段と、
前記コーディネート対象商品の商品情報を用いて、前記商品情報格納手段から前記コーディネート対象商品に類似する商品を検出し、当該商品の識別情報と、前記ある商品の識別情報とをコーディネートを構成する組み合わせとしてコーディネート情報格納手段に格納するコーディネート情報生成手段と、
前記ユーザ端末から受信する要求により指定された商品にコーディネートされ得る商品の情報を、前記コーディネート情報格納手段に格納された情報を用いることにより作成し、前記ユーザ端末に送信するコーディネート情報提供手段と
を備えたことを特徴とするコーディネート情報作成提供システム。
【請求項７】
ユーザ端末及び商品販売サイト提供システムに通信ネットワークを介して接続されるコーディネート情報作成提供システムであって、
予めコーディネートされた商品の組み合わせを構成する各商品の商品情報を格納するコーディネートサンプル格納手段と、
前記商品販売サイト提供システムから受信した、少なくとも商品の識別情報と、当該商品の商品情報とを対応付けて商品情報格納手段に格納する商品情報登録手段と、
前記商品販売サイト提供システムから受信した商品の商品情報を用いて、当該商品に類似する商品と組み合わせられた商品であるコーディネート対象商品の商品情報を前記コーディネートサンプル格納手段から取得し、当該商品情報を用いて、前記商品情報格納手段から前記コーディネート対象商品に類似する商品を検出し、当該商品の識別情報と、前記商品販売サイト提供システムから受信した商品の識別情報とをコーディネートを構成する組み合わせとしてコーディネート情報格納手段に格納するコーディネート情報生成手段と、
前記ユーザ端末から受信する要求に基づき、前記コーディネート情報格納手段に格納された情報を取得し、当該情報から提供情報を作成して、前記ユーザ端末に送信する情報提供手段と
を備えたことを特徴とするコーディネート情報作成提供システム。  
【請求項８】
複数の商品の中からコーディネートを構成する商品の組み合わせを作成するコーディネート情報作成システムであって、
予めコーディネートされた商品の組み合わせを構成する各商品の画像情報を格納するコーディネートサンプル格納手段と、
複数の商品について、少なくとも各商品の識別情報と、当該商品の画像情報とを対応付けて格納する商品情報格納手段と、
前記商品情報格納手段からある商品の識別情報と画像情報とを取得し、当該画像情報を用いて前記コーディネートサンプル格納手段に格納された画像情報に対する類似画像検索を行うことにより、前記ある商品に類似する商品を検出し、当該類似する商品と組み合わせられた商品であるコーディネート対象商品の画像情報を前記コーディネートサンプル格納手段から取得するコーディネート対象商品情報取得手段と、
前記コーディネート対象商品の画像情報を用いて前記商品情報格納手段に格納された画像情報に対する類似画像検索を行うことにより、前記コーディネート対象商品に類似する商品を検出し、当該商品の識別情報と、前記ある商品の識別情報とをコーディネートを構成する組み合わせとしてコーディネート情報格納手段に格納するコーディネート情報生成手段と
を備えたことを特徴とするコーディネート情報作成システム。
【請求項９】
前記コーディネート情報作成システムは、通信ネットワークを介して商品販売サイト提供システムに接続されており、
前記コーディネート情報作成システムは、
商品の感覚カテゴリと商品の画像情報とを対応付けて格納する感覚カテゴリサンプル格納手段と、
前記商品販売サイト提供システムから少なくとも商品の画像情報を含む商品登録要求を受信した場合に、当該商品の画像情報を用いて前記感覚カテゴリサンプル格納手段に格納された画像情報に対する類似画像検索を行い、前記商品販売サイト提供システムから受信した商品に類似する商品に対応する感覚カテゴリを前記感覚カテゴリサンプル格納手段から取得する感覚カテゴリ取得手段と、
前記感覚カテゴリサンプル格納手段から取得した感覚カテゴリを、前記商品販売サイト提供システムから受信した商品の感覚カテゴリとして、前記商品情報格納手段に当該商品と対応付けて格納する感覚カテゴリ決定手段と
を更に備えることを特徴とする請求項８に記載にコーディネート情報作成システム。
【請求項１０】
コンピュータを、ユーザ端末及び商品販売サイト提供システムに通信ネットワークを介して接続されるコーディネート情報作成提供装置として機能させるプログラムであって、
前記コンピュータは、予めコーディネートされた商品の組み合わせを構成する各商品の商品情報を格納するコーディネートサンプル格納手段を備え、
前記プログラムは、前記コンピュータを、
前記商品販売サイト提供システムから受信した、少なくとも商品の識別情報と、当該商品の商品情報とを対応付けて前記コンピュータに備えられた商品情報格納手段に格納する商品情報登録手段、
前記商品販売サイト提供システムから受信した商品の商品情報を用いて、当該商品に類似する商品と組み合わせられた商品であるコーディネート対象商品の商品情報を前記コーディネートサンプル格納手段から取得し、当該商品情報を用いて、前記商品情報格納手段から前記コーディネート対象商品に類似する商品を検出し、当該商品の識別情報と、前記商品販売サイト提供システムから受信した商品の識別情報とをコーディネートを構成する組み合わせとして前記コンピュータに備えられたコーディネート情報格納手段に格納するコーディネート情報生成手段、
前記ユーザ端末から受信する要求に基づき、前記コーディネート情報格納手段に格納された情報を取得し、当該情報から提供情報を作成して、前記ユーザ端末に送信する情報提供手段、
として機能させることを特徴とするプログラム。
【請求項１１】
コンピュータを、複数の商品の中からコーディネートを構成する商品の組み合わせを作成するコーディネート情報作成システムとして機能させるプログラムであって、
前記コンピュータは、予めコーディネートされた商品の組み合わせを構成する各商品の商品情報を格納するコーディネートサンプル格納手段と、複数の商品について、少なくとも各商品の識別情報と、当該商品の商品情報とを対応付けて格納する商品情報格納手段とを備え、
前記プログラムは、前記コンピュータを、
前記商品情報格納手段からある商品の識別情報と商品情報とを取得し、当該商品情報を用いて、前記コーディネートサンプル格納手段から前記ある商品に類似する商品を検出し、当該類似する商品と組み合わせられた商品であるコーディネート対象商品の商品情報を前記コーディネートサンプル格納手段から取得するコーディネート対象商品情報取得手段、
前記コーディネート対象商品の商品情報を用いて、前記商品情報格納手段から前記コーディネート対象商品に類似する商品を検出し、当該商品の識別情報と、前記ある商品の識別情報とをコーディネートを構成する組み合わせとして前記コンピュータに備えられたコーディネート情報格納手段に格納するコーディネート情報生成手段、
として機能させることを特徴とするプログラム。
【請求項１２】
ユーザ端末及び商品販売サイト提供システムに通信ネットワークを介して接続されるコーディネート情報作成提供システムが実行するコーディネート情報作成提供方法であって、
前記コーディネート情報作成提供システムは、予めコーディネートされた商品の組み合わせを構成する各商品の商品情報を格納するコーディネートサンプル格納手段を備え、
前記商品販売サイト提供システムから受信した、少なくとも商品の識別情報と、当該商品の商品情報とを対応付けて商品情報格納手段に格納する商品情報登録ステップと、
前記商品販売サイト提供システムから受信した商品の商品情報を用いて、当該商品に類似する商品と組み合わせられた商品であるコーディネート対象商品の商品情報を前記コーディネートサンプル格納手段から取得し、当該商品情報を用いて、前記商品情報格納手段から前記コーディネート対象商品に類似する商品を検出し、当該商品の識別情報と、前記商品販売サイト提供システムから受信した商品の識別情報とをコーディネートを構成する組み合わせとしてコーディネート情報格納手段に格納するコーディネート情報生成ステップと、
前記ユーザ端末から受信する要求に基づき、前記コーディネート情報格納手段に格納された情報を取得し、当該情報から提供情報を作成して、前記ユーザ端末に送信する情報提供ステップと
を備えたことを特徴とするコーディネート情報作成提供方法。
【請求項１３】
複数の商品の中からコーディネートを構成する商品の組み合わせを作成するコーディネート情報作成システムが実行するコーディネート情報作成方法であって、
前記コーディネート情報作成システムは、予めコーディネートされた商品の組み合わせを構成する各商品の商品情報を格納するコーディネートサンプル格納手段と、複数の商品について、少なくとも各商品の識別情報と、当該商品の商品情報とを対応付けて格納する商品情報格納手段とを備え、
前記商品情報格納手段からある商品の識別情報と商品情報とを取得し、当該商品情報を用いて、前記コーディネートサンプル格納手段から前記ある商品に類似する商品を検出し、当該類似する商品と組み合わせられた商品であるコーディネート対象商品の商品情報を前記コーディネートサンプル格納手段から取得するコーディネート対象商品情報取得ステップと、
前記コーディネート対象商品の商品情報を用いて、前記商品情報格納手段から前記コーディネート対象商品に類似する商品を検出し、当該商品の識別情報と、前記ある商品の識別情報とをコーディネートを構成する組み合わせとしてコーディネート情報格納手段に格納するコーディネート情報生成ステップと、
を備えたことを特徴とするコーディネート情報作成方法。
【発明の詳細な説明】
【技術分野】
【０００１】
本発明は、色、素材、デザインなどの調和がとれた組み合わせであるコーディネートを複数のアイテムにより形作ることができる衣料品や家具等の商品について、ユーザが指定した商品に対してコーディネートされ得る別の商品を通信ネットワークを介して自動的にユーザに提示する技術に関するものである。なお、複数のアイテムにより色、素材、デザインなどの調和がとれた組み合わせを形作ることを"コーディネートする"という。また、その組み合わせ自体を"コーディネート"と称することがある。
【背景技術】
【０００２】
複数のアイテムにより色、素材、デザインなどの調和がとれた組み合わせを形作ることができる商品としては、衣料品、家具、食器等、様々な種類の商品があるが、以下、一例として商品が衣料品である場合を想定して説明する。
【０００３】
ユーザがある商品（例えばズボン）を購入する際には、既に所有している商品（例えばジャケット）に合った商品を選択することが多い。そのような商品をユーザがネットショッピングを利用して購入する際には、まず、目的の商品（ズボン）をネットショッピングのサイトでカテゴリ名等を用いて検索する。そして、ユーザ端末に複数表示される商品（ズボン）のそれぞれについて、既に所有している商品（ジャケット）と組み合わせた状態をユーザの頭の中でイメージしながら、適切にコーディネートできる商品を探し、適切なものがあればそれを購入する。
【０００４】
なお、本願に関連する先行技術文献として、特許文献１がある。
【特許文献１】特開２００４−１７１３９３号公報
【発明の開示】
【発明が解決しようとする課題】
【０００５】
しかし、ユーザが既に所有している実際の商品と、ユーザ端末に画像として表示される商品とが適切なコーディネートを構成するのかどうかを判断するのは必ずしも容易ではなく、実際に購入して着てみた結果、適切なコーディネートでない場合もあり得る。
【０００６】
このような問題を解消するために、ネットショッピングのサイトの側で、膨大な量の提供商品について、コーディネートされた商品の組み合わせを用意しておき、それをユーザに提示することが考えられる。これにより、ユーザは、既に所有している商品と似た商品を含む組み合わせを探すことにより、既に所有している商品に合った商品を選択する際の参考にできる。
【０００７】
しかし、コーディネータが事前に多数の商品の組み合わせを検討し、多数のコーディネートを作成するには多大な労力がかかり、ネットショッピングサイトの運営者がこれを実現することはコストの面等から容易なことではない。
【０００８】
また、仮に上記のようなコーディネートされた多数の商品の組み合わせ情報をユーザに提供できたとしても、ユーザは既に所有している商品に近い商品を多数の商品の中から目視で探すことになり、ユーザにとって適切な商品を探すことは容易なことではない。
【０００９】
本発明は上記の点に鑑みてなされたものであり、ユーザが所有している商品にコーディネートされる商品を自動的にユーザに提示することを可能とする技術を提供することを目的とする。  
【課題を解決するための手段】
【００１０】
上記の課題を解決するために、本発明は、通信ネットワークを介して接続されたユーザ端末から要求を受信し、当該要求で指定された商品にコーディネートされ得る商品に関する情報を作成し、当該情報を前記ユーザ端末に送信するためのコーディネート情報作成提供システムであって、予めコーディネートされた商品の組み合わせを構成する各商品の画像情報を格納するコーディネートサンプル格納手段と、複数の商品について、少なくとも各商品の識別情報と、当該商品の画像情報とを対応付けて格納する商品情報格納手段と、前記商品情報格納手段からある商品の識別情報と画像情報とを取得し、当該画像情報を用いて前記コーディネートサンプル格納手段に格納された画像情報に対する類似画像検索を行うことにより、前記ある商品に類似する商品を検出し、当該類似する商品と組み合わせられた商品であるコーディネート対象商品の画像情報を前記コーディネートサンプル格納手段から取得するコーディネート対象商品情報取得手段と、前記コーディネート対象商品の画像情報を用いて前記商品情報格納手段に格納された画像情報に対する類似画像検索を行うことにより、前記コーディネート対象商品に類似する商品を検出し、当該商品の識別情報と、前記ある商品の識別情報とをコーディネートを構成する組み合わせとしてコーディネート情報格納手段に格納するコーディネート情報生成手段と、前記ユーザ端末から受信する要求に含まれる前記指定された商品に対してコーディネートされ得る商品の情報を、前記コーディネート情報格納手段に格納された情報を用いることにより作成し、前記ユーザ端末に送信するコーディネート情報提供手段とを備えたことを特徴とするコーディネート情報作成提供システムとして構成される。
【００１１】
前記コーディネート情報提供手段は、前記指定された商品の画像に類似する画像を有する商品の識別情報を前記商品情報格納手段から取得する類似商品取得手段と、前記商品情報格納手段から取得した識別情報に対応する商品に対して組み合わせられた商品であるコーディネート対象候補商品の識別情報を前記コーディネート情報格納手段から取得するコーディネート対象候補商品取得手段と、前記コーディネート対象候補商品の識別情報を用いて前記ユーザ端末に提供する提供情報を作成する提供情報作成手段とを備えて構成してもよい。
【００１２】
また、前記提供情報作成手段は、前記コーディネート対象候補商品の識別情報を用いて、前記商品情報格納手段から当該コーディネート対象候補商品に対応する項目情報を取得し、当該項目情報と、前記ユーザ端末から受信する要求に含まれるユーザの希望に関する項目情報とを用いて、前記コーディネート対象候補商品と、ユーザの希望する商品との類似度を算出し、当該類似度を含む情報を前記提供情報として前記ユーザ端末に提供することとしてもよい。
【００１３】
また、前記提供情報作成手段は、前記コーディネート対象候補商品の識別情報を用いて、前記商品情報格納手段から当該コーディネート対象候補商品のサイズ情報を取得するとともに、ユーザ情報格納手段から前記ユーザの身体サイズ情報を取得し、前記コーディネート対象候補商品のサイズ情報と前記ユーザの身体サイズ情報とを用いて、前記コーディネート対象候補商品のサイズが前記ユーザの身体のサイズに適合しているか否かを示す指標を算出し、当該指標を含む情報を前記提供情報として前記ユーザ端末に提供することとしてもよい。
【００１４】
また、前記提供情報作成手段は、前記コーディネート対象候補商品の識別情報を用いて、前記商品情報格納手段から当該コーディネート対象候補商品のサイズ情報を取得するとともに、ユーザ情報格納手段から前記ユーザの身体サイズ情報を取得し、前記コーディネート対象候補商品のサイズ情報と前記ユーザの身体サイズ情報とを用いて、前記コーディネート対象候補商品のサイズが前記ユーザの身体のサイズに適合しているか否かを示す指標を算出し、前記指標の大きさに応じたドット間隔で並べられた複数のドットを含む画像と、前記コーディネート対象候補商品の画像とを重ね合わせた画像を作成し、当該画像を含む情報を前記提供情報として前記ユーザ端末に提供することとしてもよい。
【００１５】
また、本発明は、通信ネットワークを介して接続されたユーザ端末から要求を受信し、当該要求で指定された商品にコーディネートされ得る商品に関する情報を作成し、当該情報を前記ユーザ端末に送信するためのコーディネート情報作成提供システムであって、予めコーディネートされた商品の組み合わせを構成する各商品の商品情報を格納するコーディネートサンプル格納手段と、複数の商品について、少なくとも各商品の識別情報と、当該商品の商品情報とを対応付けて格納する商品情報格納手段と、前記商品情報格納手段からある商品の識別情報と商品情報とを取得し、当該商品情報を用いて、前記コーディネートサンプル格納手段から前記ある商品に類似する商品を検出し、当該類似する商品と組み合わせられた商品であるコーディネート対象商品の商品情報を前記コーディネートサンプル格納手段から取得するコーディネート対象商品情報取得手段と、前記コーディネート対象商品の商品情報を用いて、前記商品情報格納手段から前記コーディネート対象商品に類似する商品を検出し、当該商品の識別情報と、前記ある商品の識別情報とをコーディネートを構成する組み合わせとしてコーディネート情報格納手段に格納するコーディネート情報生成手段と、前記ユーザ端末から受信する要求により指定された商品にコーディネートされ得る商品の情報を、前記コーディネート情報格納手段に格納された情報を用いることにより作成し、前記ユーザ端末に送信するコーディネート情報提供手段とを備えたことを特徴とするコーディネート情報作成提供システムとして構成することもできる。
【００１６】
また、本発明を、ユーザ端末及び商品販売サイト提供システムに通信ネットワークを介して接続されるコーディネート情報作成提供システムであって、予めコーディネートされた商品の組み合わせを構成する各商品の商品情報を格納するコーディネートサンプル格納手段と、前記商品販売サイト提供システムから受信した、少なくとも商品の識別情報と、当該商品の商品情報とを対応付けて商品情報格納手段に格納する商品情報登録手段と、前記商品販売サイト提供システムから受信した商品の商品情報を用いて、当該商品に類似する商品と組み合わせられた商品であるコーディネート対象商品の商品情報を前記コーディネートサンプル格納手段から取得し、当該商品情報を用いて、前記商品情報格納手段から前記コーディネート対象商品に類似する商品を検出し、当該商品の識別情報と、前記商品販売サイト提供システムから受信した商品の識別情報とをコーディネートを構成する組み合わせとしてコーディネート情報格納手段に格納するコーディネート情報生成手段と、前記ユーザ端末から受信する要求に基づき、前記コーディネート情報格納手段に格納された情報を取得し、当該情報から提供情報を作成して、前記ユーザ端末に送信する情報提供手段とを備えたことを特徴とするコーディネート情報作成提供システムとして構成することもできる。
【００１７】
また、本発明は、複数の商品の中からコーディネートを構成する商品の組み合わせを作成するコーディネート情報作成システムであって、予めコーディネートされた商品の組み合わせを構成する各商品の画像情報を格納するコーディネートサンプル格納手段と、複数の商品について、少なくとも各商品の識別情報と、当該商品の画像情報とを対応付けて格納する商品情報格納手段と、前記商品情報格納手段からある商品の識別情報と画像情報とを取得し、当該画像情報を用いて前記コーディネートサンプル格納手段に格納された画像情報に対する類似画像検索を行うことにより、前記ある商品に類似する商品を検出し、当該類似する商品と組み合わせられた商品であるコーディネート対象商品の画像情報を前記コーディネートサンプル格納手段から取得するコーディネート対象商品情報取得手段と、前記コーディネート対象商品の画像情報を用いて前記商品情報格納手段に格納された画像情報に対する類似画像検索を行うことにより、前記コーディネート対象商品に類似する商品を検出し、当該商品の識別情報と、前記ある商品の識別情報とをコーディネートを構成する組み合わせとしてコーディネート情報格納手段に格納するコーディネート情報生成手段とを備えたことを特徴とするコーディネート情報作成システムとして構成してもよい。
【００１８】
前記コーディネート情報作成システムにおいて、前記コーディネート情報作成システムは、通信ネットワークを介して商品販売サイト提供システムに接続されており、前記コーディネート情報作成システムは、商品の感覚カテゴリと商品の画像情報とを対応付けて格納する感覚カテゴリサンプル格納手段と、前記商品販売サイト提供システムから少なくとも商品の画像情報を含む商品登録要求を受信した場合に、当該商品の画像情報を用いて前記感覚カテゴリサンプル格納手段に格納された画像情報に対する類似画像検索を行い、前記商品販売サイト提供システムから受信した商品に類似する商品に対応する感覚カテゴリを前記感覚カテゴリサンプル格納手段から取得する感覚カテゴリ取得手段と、前記感覚カテゴリサンプル格納手段から取得した感覚カテゴリを、前記商品販売サイト提供システムから受信した商品の感覚カテゴリとして、前記商品情報格納手段に当該商品と対応付けて格納する感覚カテゴリ決定手段とを更に備えることとしてもよい。
【００１９】
更に、本発明は、上記コーディネート情報作成提供システム、コーディネート情報作成システムが実行するコーディネート情報作成提供方法、コーディネート情報作成方法として構成することができ、上記コーディネート情報作成提供システム、コーディネート情報作成システムにおける各手段をコンピュータに実現させるためのプログラムとして構成することもできる。
【発明の効果】
【００２０】
本発明によれば、コーディネータが多数の商品のコーディネートを予め作成する等の手間をかけずに、ユーザが所有している商品にコーディネートされ得る商品の候補情報を自動的にユーザに提示するサービスを容易に実現できるようになる。
【発明を実施するための最良の形態】
【００２１】
以下、図面を参照して、本発明の実施の形態について説明する。
【００２２】
（システム全体構成、動作概要）
図１に本発明の実施の形態におけるシステムの全体構成図を示す。図１に示すように、本システムは、ユーザ端末１、コーディネート情報作成提供システム３、及び商品販売サイト提供システム５を有しており、それぞれがインターネット等の通信ネットワーク７に接続されている。なお、図１には、ユーザ端末１、及び商品販売サイト提供システム５がそれぞれ１つづつ示されているが、ユーザ端末１、及び商品販売サイト提供システム５はそれぞれ複数存在してよいことはいうまでもない。
【００２３】
ユーザ端末１は、Webブラウザ等を備える一般的なPCである。また、ユーザ端末１として携帯電話機等の携帯端末を使用することもできる。商品販売サイト提供システム５は、例えば商品販売サイトを提供するためのWebサーバ、データベースサーバ、及び管理用端末等を含む一般的な商品販売サイト提供のためのシステムである。Webサーバ、データベースサーバ、及び管理用端末等はそれぞれが通信ネットワークに接続される。
【００２４】
次に、コーディネート情報作成提供システム３について説明する。図２に、本実施の形態におけるコーディネート情報作成提供システム３の機能構成図を示す。図２に示すように、コーディネート情報作成提供システム３は、通信機能部３１、認証部３２、商品情報作成部３３、コーディネート情報作成部３４、コーディネート情報提供部３５、サイトデータベース３６、ユーザデータベース３７、商品管理データベース３８、類似サンプルデータベース３９、コーディネートサンプルデータベース４０、コーディネート情報データベース４１を有する。
【００２５】
通信機能部３１は、通信ネットワーク７を介して他の装置と通信を行うための機能部である。認証部３２は、商品販売サイトやユーザの認証を行うための機能部である。商品情報作成部３３は、商品販売サイト提供システム５とのインタフェース機能を有し、商品販売サイト提供システム５から商品の情報を受信し、当該商品の感覚カテゴリを決定し、受信した商品の情報と感覚カテゴリとを商品管理データベース３８に格納する機能部である。
【００２６】
コーディネート情報作成部３４は、商品販売サイト提供システム５から新たに登録された商品の情報と、コーディネートサンプルデータベース４０に予め格納されているデータとを用いて、上記商品に関するコーディネート情報を作成し、それをコーディネート情報データベース４１に格納するための機能部である。
【００２７】
コーディネート情報提供部３５は、ユーザが所有する商品（ユーザ所有商品と呼ぶことにする）の画像を含む情報と、ユーザ所有商品に組み合わせる商品であって、ユーザが購入したいと考えている商品に関する情報とをユーザ端末１から受信し、それらの情報と、コーディネート情報データベース４１及び商品管理データベース３８に格納されたデータとを用いてユーザ所有商品に組み合わせる商品として提示する商品（コーディネート対象候補商品と呼ぶことがある）を抽出し、後述するぴったり度及び類似度を算出し、これらの情報をユーザ端末１に提供するための機能部である。なお、各データベースに格納されるデータについては、各機能部の処理の説明の中で随時説明することにする。
【００２８】
コーディネート情報作成提供システム３は、CPU、メモリ、及びハードディスク等の記憶装置を備えた１つのコンピュータ（いわゆるサーバ）を用いて実現することもできるし、各機能部（データベースを含む）毎、あるいは複数の機能部のまとまり毎に異なるコンピュータを用いて実現し、各コンピュータを通信ネットワークで接続して実現することもできる。なお、１つのコンピュータで実現する場合、コーディネート情報作成提供システム３をコーディネート情報作成提供装置と称しても良い。また、コーディネート情報作成提供システムは必ずしもコーディネート情報提供部３５を備える必要はない。つまり、コーディネート情報作成提供システムからコーディネート情報提供部３５を除き、コーディネート情報作成システムとしてもよい。この場合、コーディネート情報作成部３４により作成され、コーディネート情報データベース４１に格納されたコーディネート情報は、例えば他の商品販売管理運営者に提供する等、様々な活用方法がある。
【００２９】
コーディネート情報作成提供システム３を１つのコンピュータで実現する場合、複数のコンピュータで実現する場合のいずれの場合も各コンピュータの機能は、当該コンピュータに、当該機能を実現するためのプログラムを実行させることにより実現されるものである。当該プログラムは、可搬メモリ等の記録媒体から当該コンピュータにインストールすることもできるし、通信ネットワークを介して外部装置からダウンロードしてインストールすることもできる。
【００３０】
図３は、本実施の形態におけるコーディネート情報作成提供システム３における処理の流れの概要を示すフローチャートである。図３に示すように、まず、商品情報作成部３３が商品販売サイト提供システム５から商品情報を受信し、その商品情報を商品管理データベース３８に登録する商品情報登録処理が行われる（ステップ１）。次に、コーディネート情報作成部３４が、新たに登録された商品を含むコーディネート情報を作成するコーディネート情報作成処理を行う（ステップ２）。このステップ１とステップ２は、ステップ３に対する事前処理であり、新規に商品情報の登録がなされた際に随時実行される処理である。
【００３１】
ステップ３では、コーディネート情報提供部３５が、ユーザ端末１からの要求に基づき、各種データベースを参照してユーザに提示するコーディネート対象候補商品に関する情報を作成し、ユーザ端末１に送信するコーディネート情報提供処理を行う（ステップ３）。
【００３２】
（処理の詳細説明）
以下、図３に示す処理の順番に従って、各処理の内容を詳細に説明する。
【００３３】
＜商品情報登録処理＞
まず、図４のフローチャートを参照して、主に商品情報作成部３３が実行する商品情報登録処理について説明する。なお、図４に示すフローチャートでは、処理内容を分かりやすくするために、他の装置とのデータのやりとり、及び各種データベースとのデータのやりとりについても示している。図８、図１３に示すフローチャートについても同様である。
【００３４】
まず、商品販売サイト提供システム５内の例えば管理用端末から認証部３２に対してサイトID及びパスワードを含むログイン要求が送信される。
【００３５】
ログイン要求を受信した認証部３２は、サイトID及びパスワードを用いてサイトデータベース３６を検索し、当該サイトID及びパスワードに合致するサイトID及びパスワードがサイトデータベース３６に登録されていることを検知すればログインOKであることを商品販売サイト提供システム５に送信し、ログインNGであれば例えば以降のアクセスを拒否するメッセージ等を商品販売サイト提供システム５に送信する（ステップ１１）。
【００３６】
ログインOKを受信した商品販売サイト提供システム５は、コーディネート情報作成提供システム３に登録する商品に関する情報（商品情報）をコーディネート情報作成提供システム３に送信する。商品販売サイト提供システム５が送信する商品情報には、商品カテゴリ、商品の画像、商品の色、商品のサイズが少なくとも含まれる。なお、本明細書において"画像"は"画像データ"の意味で使用している。
【００３７】
商品情報作成部３３は、通信機能部３１を介して上記商品情報を取得する（ステップ１２）。商品情報作成部３３は、取得した商品情報を商品管理データベース３８に格納する（ステップ１３）。図５に、商品管理データベース３８に格納されるデータの一例を示す。図５に示すように、商品管理データベース５には、サイトID、商品ID、在庫、商品カテゴリ、感覚カテゴリ、色、サイズと位置情報、画像、画像の特徴量が対応付けて格納される。これらのうち、特徴量、感覚カテゴリについてはステップ１３に続く処理により得られるものである。特徴量、感覚カテゴリ以外のデータは商品販売サイト提供システム５から受信するデータである。
【００３８】
本実施の形態における"サイズと位置情報"は、商品（例えばセーター）の各部位（バスト、ウェスト等の一般的なもの）に対応するサイズと、各部位が当該商品のどの位置にあたるかを示す位置情報とを含む。位置情報は、例えば図６に示すように、商品の上端からの距離（ｘとｙ等）で示される。
【００３９】
ステップ１３に続き、商品情報作成部３３は、商品販売サイト提供システム５から受信した商品情報に含まれる商品の画像から、類似画像検索に用いる特徴量を算出し、それを当該商品に対応付けて商品管理データベース３８に格納する（ステップ１４）。
【００４０】
なお、本実施の形態における類似画像検索技術自体は既存技術である。特徴量の求め方や、類似画像検索技術には種々のものが存在するが、本発明に係る技術において用いられる特徴量の求め方や、類似画像検索技術は特定のものに限定されるわけではない。ただし、類似画像検索の精度が高いほうが好ましいことは言うまでもない。例えば、ある画像に非常に似ている画像を似ていないと判断したり、ある画像と大きく異なる画像を似ていると判断してしまう程度が低いほうが好ましい。
【００４１】
また、本明細書及び特許請求の範囲において"画像情報"は、画像そのもののみならず、画像から得られた特徴量を含む意味で使用している。
【００４２】
この後、商品情報作成部３３は、商品情報に含まれる商品に対応する感覚カテゴリを、類似サンプルデータベース３９を用いて決定する処理を行う。感覚カテゴリとは、商品に対して消費者が持つ感覚のことであり、その種類として例えば"かわいい"、"ビジネス"等がある。図７に、類似サンプルデータベース３９に格納されるデータの一例を示す。図７に示すように、類似サンプルデータベース３９には、類似サンプルID、商品カテゴリ、感覚カテゴリ、画像、特徴量が対応付けて格納される。これらのデータは、予め格納されるデータである。
【００４３】
商品情報に含まれる商品に対応する感覚カテゴリを決定するために、商品情報作成部３３は、ステップ１４で算出した特徴量を用いて類似サンプルデータベース３９を検索することにより、当該特徴量に近い特徴量を持つ画像に対応する感覚カテゴリを抽出する（ステップ１５）。つまり、商品情報作成部３３は、類似画像検索を行って商品情報に含まれる商品の画像に類似する画像に対応する感覚カテゴリを類似サンプルデータベース３９から抽出する。
【００４４】
本実施の形態では、商品情報に含まれる商品の画像と、類似サンプルデータベース３９に含まれる予め登録した画像との類似の度合（画像類似度合と呼ぶ）に閾値を設け、その閾値以上の画像類似度合を持つものとして抽出された商品に対応する感覚カテゴリを抽出している。商品情報に含まれる商品の画像と、上記閾値以上に類似する画像が複数存在する場合、複数の感覚カテゴリが抽出され、商品情報作成部３３は、複数の感覚カテゴリと、その中の各感覚カテゴリに対応する画像類似度合とを取得する。
【００４５】
例えば、最も類似している場合の画像類似度合を１０、閾値を７とした場合において、商品情報作成部３３は、（"かわいい"、９）、（"かわいい"、９）、（"ビジネス"、７）のように、感覚カテゴリとそれに対応する画像類似度合の組を複数取得し得る。そこで、ステップ１６では、商品情報作成部３３は、最も数が多い感覚カテゴリを、商品情報に含まれる商品の感覚カテゴリとして決定する。上記の例では"かわいい"が最も多いので商品情報に含まれる商品の感覚カテゴリとして決定される。
【００４６】
なお、商品情報作成部３３が、（"かわいい"、９）、（"かわいい"、８）、（"ビジネス"、７）、（"ビジネス"、８）のように、同じ数の複数種類の感覚カテゴリを取得した場合には、画像類似度合の合計が高いほうを商品情報に含まれる商品の感覚カテゴリとして決定する。上記の例では、"かわいい"に対する画像類似度合の合計が１７であり、"ビジネス"に対する画像類似度合の合計が１５なので、"かわいい"が商品情報に含まれる商品の感覚カテゴリとして決定される。
【００４７】
ステップ１７において、商品情報作成部３３は、上記商品に対して決定した感覚カテゴリを、当該商品に対応付けて商品管理データベース３８に格納する。
【００４８】
＜コーディネート情報作成処理＞
次に、図８のフローチャートを参照して、コーディネート情報作成部３４が実行するコーディネート情報作成処理について説明する。
【００４９】
まず、コーディネート情報作成部３４は、新たに商品管理データベース３８に格納された商品の商品IDと特徴量を取得する（ステップ２１）。以下、当該商品IDを商品ID_ａとする。また、商品IDが商品ID_ａの商品を商品Aとする。それ以降、コーディネート情報作成部３４は、コーディネートサンプルデータベース４０を用いて、商品Aと他の商品とを組み合わせて新たなコーディネート情報（組み合わせられる商品に関する情報）を作成するための処理を行う。
【００５０】
図９に、コーディネートサンプルデータベース４０に格納されるデータの一例を示す。図９に示すように、コーディネートサンプルデータベース４０には、コーディネートサンプルID、商品ID、及び特徴量が対応付けて格納される。これらのデータは予め作成され、登録されるデータである。例えば、専門のコーディネータが、商品である衣料品のコーディネートを複数種類作成し、それをデータとして登録する。図９において、例えば、商品ID：１２３４の商品と商品ID：３３４４の商品とが、コーディネートサンプルIDがAAA111である１つのコーディネートを構成する商品の組み合わせである。なお、コーディネートサンプルデータベース４０に登録される商品は、商品管理データベース３８に登録されている商品でもよいし、商品管理データベース３８に登録されていない商品でもよい。
【００５１】
図８のステップ２１に続き、コーディネート情報作成部３４は、商品Aの特徴量を用いてコーディネートサンプルデータベース４０を検索する類似画像検索を行うことにより、商品Aの画像と類似する画像の商品と組み合わせられている商品の特徴量をコーディネートサンプルデータベースから取得する（ステップ２２）。なお、商品Aの画像と類似する商品は最も類似するものを１つだけ抽出することとしてもよいし、ある閾値以上類似する商品を複数検索してもよいが、以下では１つだけ抽出する場合について説明する。また、その場合でも、商品Aの画像と類似する画像の商品と組み合わせられている商品は、１つのコーディネートサンプルIDに対応付けられた１つ又は複数の商品であったり、複数のコーディネートサンプルIDに対応付けられ、それぞれのコーディネートサンプルIDに対する１つ又は複数の商品である場合があるが、以下では、商品Aの画像と類似する画像の商品と組み合わせられている商品は１つであるとして説明する。
【００５２】
例えば、図９のコーディネートサンプルデータベース４０の例において、類似画像検索の結果、商品Aに最も類似する商品が商品ID：１２３４のものであると判断されて場合において、コーディネート情報作成部３４は、商品ID：１２３４に対してコーディネートを構成するものとして組み合わせられている商品ID：３３４４に対応する特徴量を取得する。なお、ここである商品に対する組み合わせの対象となる商品、つまりコーディネートの対象となる商品を、コーディネート対象商品と呼ぶことにする。
【００５３】
商品Aに類似する商品に対するコーディネート対象商品の特徴量等を取得した後、コーディネート情報作成部３４は、当該コーディネート対象商品の特徴量を用いて商品管理データベース３８に対する類似画像検索を行い、コーディネート対象商品に類似する商品の商品IDを商品管理データベース３８から取得する（ステップ２３）。最も類似する商品の商品IDを取得することとしてもよいし、ある閾値以上の画像類似度合を持つ複数の商品の商品IDを取得することとしてもよいが、ここでは商品ID_bの商品が検索されたものとする。
【００５４】
そして、コーディネート情報作成部３４は、新たに登録された商品の商品IDである商品ID_aと、上記のようにして取得された商品ID_bとを、新たなコーディネート情報として、新たにコーディネートIDを割り当ててコーディネート情報データベース４１に格納する（ステップ２４）。図１０に、コーディネート情報データベース４１に格納されるデータの一例を示す。
【００５５】
上記のようにして、商品管理データベース３８に比べてはるかに少数のデータしか格納していないコーディネートサンプルデータベース４０を用いて、商品管理データベース３８に登録された膨大な数の商品の中から、コーディネートを構成する商品の組み合わせを自動的に判別し、コーディネートを構成する商品の組み合わせの情報であるコーディネート情報をコーディネート情報データベース４１に格納することができる。また、新たに商品が登録される度にコーディネート情報を作成するので、もれなく様々な商品のコーディネートを作成することができる。
【００５６】
なお、上記の処理を実行するコーディネート情報作成部３４は、少なくとも、商品管理データベース３８からある商品の識別情報と画像情報（特徴量）とを取得し、当該画像情報を用いてコーディネートサンプルデータベース４０に格納された画像情報に対する類似画像検索を行うことにより、前記ある商品に類似する商品を検出し、当該類似する商品と組み合わせられた商品であるコーディネート対象商品の画像情報をコーディネートサンプルデータベース４０から取得する手段と、前記コーディネート対象商品の画像情報を用いて商品管理データベース３８に格納された画像情報に対する類似画像検索を行うことにより、前記コーディネート対象商品に類似する商品を検出し、当該商品の識別情報と、前記ある商品の識別情報とをコーディネートを構成する組み合わせとしてコーディネート情報データベース４１に格納する手段とを備えるものである。
【００５７】
＜コーディネート情報提供処理＞
次に、コーディネート情報提供処理について説明する。図１１は、本実施の形態におけるコーディネート情報提供処理を実行するコーディネート情報提供部３５の機能構成図である。
【００５８】
図１１に示すように、コーディネート情報提供部３５は、ユーザインタフェース部５１、ユーザ情報登録部５２、類似画像検索部５３、コーディネート対象候補商品情報取得部５４、ぴったり度計算／画面作成部５５、類似度計算部５６、及び提供情報作成部５７を有する。
【００５９】
ユーザインタフェース部５１は、ユーザ端末１に、ユーザ端末１に表示するための画面データを提供したり、ユーザ端末１からのアクセスを通信機能部３１を介して受信する機能部である。
【００６０】
ユーザ情報登録部５２は、ユーザ端末１から受信するユーザ情報をユーザデータベース３７に格納するための機能部である。図１２に、ユーザデータベース３７に格納されるデータの一例を示す。図１２に示すように、ユーザデータベース３７には、ユーザID、氏名、身体サイズが対応付けて格納されている。図１２の例において、身体サイズは身長、体重、バスト、ウェスト、ヒップ、首周りのサイズを含む。これらのデータは、ユーザ情報登録部５２がユーザ端末１から受信し、ユーザデータベース３７に格納されるものである。
【００６１】
なお、ユーザデータベース３７にパスワードも格納するようにして、ユーザ端末１からのアクセスの際に認証部３２を用いてユーザ認証を行うようにしてもよい。
【００６２】
図１１に示す類似画像検索部５３は、類似画像検索を行うことにより、ユーザ端末１から受信するユーザが指定する商品（例えばユーザが所有する商品）の画像を用いて類似画像検索を行うことにより、当該画像に最も類似する画像の商品に対応する商品IDを商品管理データベースの中から取得する機能部である。
【００６３】
コーディネート対象候補商品情報取得部５４は、類似画像検索部５３により取得された商品IDを用いてコーディネート情報データベース４１を検索し、当該商品IDの商品に対してコーディネートを構成するものとして組み合わせられた商品（コーディネート対象候補商品）の商品IDと、そのコーディネートIDとを取得する。コーディネートIDは１つ又は複数取得され、各コーディネートIDに対応してコーディネート対象商品の商品IDが１つ又は複数取得される。
【００６４】
ぴったり度計算／画面作成部５５は、後述するぴったり度を計算し、ぴったり度を表現する画面データを作成する機能部である。類似度計算部５６は、ユーザ端末１から受信する希望する商品に関する項目情報と、コーディネート情報提供部３５において抽出されるコーディネート対象候補商品に関する情報とを用いて両者間の類似度を計算する機能部である。提供情報作成部５７は、ぴったり度計算／画面作成部５５により得られた情報と、類似度計算部５６により得られた情報とを含むコーディネート情報リストを作成し、ユーザインタフェース部５１を介してユーザ端末１に提供するための機能部である。
【００６５】
次に、図１３に示すフローチャートを参照して、コーディネート情報提供部３５が実行する処理を説明する。なお、ユーザデータベース３７には既にユーザ情報が格納されているものとする。
【００６６】
ユーザ端末１がコーディネート情報提供部３５にアクセスしたことにより、ユーザインタフェース部５１はユーザ端末１に対して、コーディネート対象候補商品情報を要求するための画面を表示しているものとする。
【００６７】
ユーザによる入力情報に基づき、ユーザ端末１から情報要求が送信され、それをコーディネート情報提供部３５におけるユーザインタフェース部５１が受信する（ステップ３１）。当該情報要求は、ユーザIDと、ユーザが指定する商品（商品Aとする）の画像と、その商品に関する情報（以下、項目Aと呼ぶ）と、商品Aと組み合わせてコーディネートを構成する商品（商品Bとする）の情報であって、ユーザがコーディネート情報提供部３５から情報提供を受けたいと考えている商品に関する情報（項目Bと呼ぶ）とを含む。
【００６８】
項目Aは、商品Aの商品カテゴリ、色、感覚カテゴリ等である。項目Bは、商品Bの商品カテゴリ、色、感覚カテゴリ等である。なお、商品Bはユーザが商品Aに合うものとしてこれから購入したいと考える商品であり、この時点では具体的な商品ではない。例えば、ユーザが商品Aとしてジャケットを持っており、そのジャケットにうまく組み合わせて着用できるズボンを欲しいと考えた場合に、項目Bとして、商品カテゴリとしての"ズボン"、ユーザが望むズボンの色、感覚カテゴリ（"カジュアル"等）を指定することになる。
【００６９】
ユーザインタフェース部５１は、受信した商品Aの画像を類似画像検索部５３に送信するとともに、ユーザIDをぴったり度計算／画面作成部に送信し、項目Aと項目Bを類似度計算部に送信する。
【００７０】
商品Aの画像を受信した類似画像検索部５３は、当該画像の特徴量を算出し（ステップ３２）、その特徴量を用いて商品管理データベース３８に対して類似画像検索を行って、商品Aの画像に最も類似する画像に対応する商品（商品A類似商品と呼ぶ）の商品IDを商品管理データベース３８から取得する（ステップ３３）。
【００７１】
続いて、コーディネート対象候補商品情報取得部５４は、類似画像検索部５３により取得された商品A類似商品の商品IDを用いてコーディネート情報データベース４１を検索し、商品A類似商品とコーディネートを構成するものとして組み合わせられる商品（コーディネート対象候補商品であり商品Cとする）の商品IDと、コーディネートIDとをコーディネート情報データベースから取得する（ステップ３４）。コーディネートIDは複数取得され得るが、以下では１つのコーディネートIDが取得されたものとして説明する。なお、コーディネートIDが複数取得された場合には、各コーディネートIDに対応する商品毎に以下の処理を行えばよいだけである。
【００７２】
商品Cは複数であるものとし、商品Cの複数の商品IDをまとめて商品Cの商品IDのリストと呼び、複数の商品Cの中の各商品を商品Ckと記載することにする。なお、添え字ｋは、商品Cの個数をｎとした場合に、１からｎまでの数字の中のいずれかの数である。
【００７３】
コーディネート対象候補商品情報取得部５４により取得された商品Cの商品IDのリストは類似度計算部５６に渡される。当該リストを受信した類似度計算部５６は、当該リストに含まれる各商品IDに対応する項目（商品カテゴリ、色、感覚カテゴリ等）を商品管理データベース３８から取得する。ここでは複数の商品IDに対応する複数の項目が取得されるが、これらをまとめて項目Cのリストと呼ぶことにする。また、項目Cのリストの中の各項目を項目Ckと記載する。項目Ckは商品Ckに対応する。
【００７４】
類似度計算部５６は、更に、商品Ａ類似商品の商品IDに対応する項目（商品カテゴリ、色、感覚カテゴリ等であり、項目ａと記載する）を商品管理データベース３８から取得する。
【００７５】
そして、類似度計算部５６は、項目Ckと項目Ｂとの間の類似度を、ｋ＝１〜ｎに関して計算する（ステップ３５）。つまり、コーディネート対象候補商品情報取得部５４により取得された、商品Ａとコーディネートされ得る商品Ｃが、ユーザが最初に指定したコーディネート対象商品として希望する項目である項目Ｂにどの程度合致しているかを示す類似度を算出する。
【００７６】
類似度の求め方の一例としては、項目内の各事項が項目間で一致しているか否かにより点数を決め、その点数を足し合わせて類似度を求める。例えば、商品カテゴリが項目Ckと項目Ｂとで一致していれば１０点、一致していなければ０点とし、これをａとする。また、色が項目Ckと項目Ｂとで一致していれば１０点、一致していなければ０点とし、これをｂとする。また、サイズに関し、項目Ｂにおけるサイズ（希望サイズ）がＭである場合において項目CkのサイズがＭであれば１０点、それ以外であれば０点とし、これをｃとする。また、感覚カテゴリが項目Ckと項目Ｂとで一致していれば１０点、一致していなければ０点とし、これをｄとする。そして、ａ＋ｂ＋ｃ＋ｄを計算し、これを類似度とする。
【００７７】
また、項目の中に"季節"を含めた場合には、項目Ｂにおける季節が夏である場合において項目Ckの季節が夏であれば１０点、春又は秋であれば５点、冬であれば０点とし、ａ＋ｂ＋ｃ＋ｄにこの点数を加えて類似度とする。
【００７８】
類似度計算部５６は、更に、商品Ａと、商品ａとの類似度を算出する。つまり、商品Ａの項目Ａと、商品Ａに類似する商品である商品ａの項目ａを用いて上記の方法で類似度を計算する。また、商品Ａと、商品ａに関しては、それぞれ特徴量を有するので、両者の特徴量の差分を点数化し、類似度の中に含めてもよい。
【００７９】
例えば、特徴量の差分が予め定めた値より小さければ１０点を与え、予め定めた値より大きければ０点を与え、この値を上述したようにして計算した値に加算することにより類似度を求める。なお、商品Ａと、商品ａとの類似度の情報をユーザに提供することにより、ユーザは、目的の商品に関する情報である商品Ｃの抽出の信頼性をある程度判断できる。例えば、商品Ａと、商品ａとの類似度が高ければ、商品Ａに近い商品ａに基づきコーディネート対象候補商品情報が取得されたので、適切な商品Ｃが抽出されているものと判断できる。逆に、商品Ａと、商品ａとの類似度が低ければ、商品Ａとあまり似ていない商品ａに基づきコーディネート対象候補商品情報が取得されたことになるので、商品Ｃは商品Ａと適切なコーディネートを構成するとは限らない等と判断できる。
【００８０】
類似度計算部５６は、類似度の高い順に商品Cの商品IDを並べ、コーディネートIDと、商品Cの商品IDのリストと、各商品Ckに関する類似度と、商品Ａと、商品ａとの間の類似度とを含む情報を提供情報作成部５７に送信する。
【００８１】
次にぴったり度計算／画面作成を行うが、類似度計算とぴったり度計算／画面作成はどちらを先に行ってもよい。また、可能であれば同時に行ってもよい。
【００８２】
コーディネート対象候補商品情報取得部５４により取得された商品Cの商品IDのリストはぴったり度計算／画面作成部５５にも渡される。ぴったり度計算／画面作成部５５は、商品IDのリストの中の各商品Ckに関して、ユーザの体のサイズに当該商品のサイズがどの程度あっているかを示す指標であるぴったり度を計算するとともに（ステップ３６）、そのぴったり度を表す画像を作成する（ステップ３７）。具体的な処理は次のとおりである。
【００８３】
ぴったり度計算／画面作成部５５は、ユーザIDを用いてユーザデータベース３７から当該ユーザの身体サイズを取得する。身体サイズとしては例えばバスト、ウェスト、ヒップのサイズを取得する。また、ぴったり度計算／画面作成部５５は、各商品Ckのサイズ情報を当該商品の商品IDを用いて商品管理データベース３８から取得する。
【００８４】
そして、ぴったり度計算／画面作成部５５は、各商品Ckに関して、次の式を用いてぴったり度を算出する（ステップ３６）。
【００８５】
【数１】
2009199561.tif 000003
上記の式において、各部のサイズとはウェストのサイズ等であり、サイズの個数とは、例えばバスト、ウェエスト、ヒップの部位のサイズを用いる場合は３である。この場合、対象商品Ckの各部のサイズをバストA、ウェストA、ヒップAとし、ユーザの各部の身体サイズをバストM、ウェストM、ヒップMとすると、上記の式は下記のように表すことができる。
【００８６】
【数２】
2009199561.tif 000004
上記の式の内容から、ぴったり度が１に近いほど、商品Ckはユーザの身体サイズにマッチしており、その商品を着用した場合に、ユーザにとってぴったり感があると考えることができる。また、ぴったり度が１より小さい場合は、商品Ckはユーザにとって小さいと考えられ、ぴったり度が１より大きい場合は、商品Ckはユーザにとって大きいと考えられる。また、取得するサイズ部分（バスト、ウェスト等）の数を多くすることにより、より正確にぴったり感を表すことができる。
【００８７】
また、例えば、ユーザ端末１から送信される要求情報にサイズの重視度に関する情報を含め、その情報を考慮してぴったり度を算出することもできる。この場合、ぴったり度計算／画面作成部５５には、重視度に対応する許容範囲が予め設定されているものとし、例えば、ユーザ端末１からウェストのサイズを非常に重視する旨の情報を受信した場合において、ぴったり度計算／画面作成部５５は、"非常の重視する"に対応する許容範囲、例えば0.95<W<1.05を取得し、その上でW=ウェストA／ウェストMの値が0.95<W<1.05を満たすかどうかを判定する。そして、満たしていればウェストのサイズに関してユーザの希望に合っていると判定し、その旨を示す情報をぴったり度計算の結果の１つとして提供情報作成部５７に渡す。また、0.95<W<1.05を満たしていなければ、ウェストのサイズに関してユーザの希望に合っていないと判定し、その旨を示す情報をぴったり度計算の結果の１つとして提供情報作成部５７に渡す。
【００８８】
更に、上記のように重視度に関する情報がユーザから指定された場合においては、全体のぴったり度の計算式を、[数２]の式から次の式に変更して、ぴったり度を求めるようにしてもよい。
【００８９】
【数３】
2009199561.tif 000005
この式の例では、非常に重視するとされたウェスト部分に重みを付与している。これにより、重視する部分を強調したぴったり度を算出することが可能となり、よりユーザの要望に沿ったぴったり度を算出できる。
【００９０】
また、ぴったり度計算／画面作成部５５は、各商品Ckのぴったり度をユーザに対して可視的に分かりやすく表示するための画面データを作成する（ステップ３７）。その画面の一例を図１４に示す。図１４に示す例は、[数１]の式を用いて算出した全体のぴったり度を用いて画面データを作成する場合の例である。
【００９１】
図１４（ａ）は、ぴったり度が１の場合を示している。この場合、ぴったり度が１に対応するものとして予め定めた間隔（これをＤとする)で格子状に並べたドット画像に、対象の商品Ckの画像を重ね合わせた画像を作成する。また、図１４（ｂ）は、ぴったり度が１より小さい場合の例として、ぴったり度＝０．８９の場合を示しており、この場合、ドットの間隔を０．８９×Ｄとしてドットを格子状に並べたドット画像に、対象の商品Ckの画像を重ね合わせた画像を作成する。また、図１４（ｃ）は、ぴったり度が１より大きい場合の例として、ぴったり度＝１．１２の場合を示しており、この場合、ドットの間隔を１．１２×Ｄとしてドットを格子状に並べたドット画像に、対象の商品Ckの画像を重ね合わせた画像を作成する。
【００９２】
ドットが密に表示されるほど商品がユーザにとってきつく感じられ、ドットが疎に表示されるほど商品がユーザにとってゆるく感じられることから、上記のような画面表示を行うことにより、商品のぴったり感をうまく表現することができる。
【００９３】
ぴったり度計算／画面作成部５５が作成する画面の他の例を図１５に示す。図１５の例では、各部毎にぴったり度（例えばウェストであれば前述のウェストA／ウェストM）を求め、各部のぴったり度に合わせて、各部毎にドットの間隔を変えて表示を行う。
【００９４】
この場合もぴったり度が１の場合のドットの間隔を予め決めておく。これをＤとする。そして、ウェストのぴったり度が０．７８、ヒップのぴったり度が０．９２である場合において、図１５に示すように、商品のウェストに該当する位置に０．７８×Ｄの間隔で横方向にドットを並べ、更に、商品のヒップに該当する位置に０．９２×Ｄの間隔で横方向にドットを並べ、更に、上下方向（隣り合うドットラインの間）については、その間の間隔が予め定めた値以上（例えば２×Ｄ以上）である場合に、ウェスト位置とヒップ位置の中央に、ウェストのぴったり度とヒップのぴったり度の中間値（（（０．７８＋０．９２）／２＝０．８５）×Ｄ）の間隔でドットを横方向に並べる。また、ウェストに該当するドットラインと、ウェストとヒップの中央のドットラインとの間隔が予め定めた値以上（例えば２×Ｄ以上）である場合に、ウェストに該当するドットラインと、ウェストとヒップの中央のドットラインとの中央に、上記と同様の中間値を利用したドットラインを表示してもよい。ヒップに該当するドットラインと、ウェストとヒップの中央のドットラインとの間に関しても同様である。
【００９５】
更に、ヒップの下にもサイズ測定部位（太もも等）がある場合、太ももの位置にドットラインを表示するとともに、ヒップと太ももとの間で、ウェストとヒップ間での表示方法と同じ方法でドットラインを描く。また、ヒップの下にサイズ測定部位がない場合には、ドットを表示しないこととしてもよいし、全体のぴったり度を用いた図１４と同様のドット間隔でドットを表示してもよい。そして、そのドット表示と商品とを重ねて表示する。
【００９６】
また、サイズ部位が１つのみ（ウェストのみ等）の場合は、図１４の場合と同様に、その部位（ウェスト等）のぴったり度を用いて均等間隔のドット表示を行うようにすればよい。
【００９７】
図１５の方法において、ぴったり度計算／画面作成部５５が実行する画面データ作成処理のフローチャートを図１６に示す。
【００９８】
まず、ぴったり度計算／画面作成部５５は、対象の商品Ckについて、各部位（ウェスト、ヒップ等）のサイズを用いて各部位のぴったり度を算出する（ステップ４１）。続いて、ぴったり度計算／画面作成部５５は、当該商品の各部位が商品のどの位置に対応するかの情報を商品管理データベース３８から取得する（ステップ４２）。そして、各部位について、図１５に示したようにドッド画像を作成する（ステップ４３）。つまり、ここでは、ある部位のぴったり度がＰ、ぴったり度が１である場合のドット間隔をＤとした場合に、Ｐ×Ｄの間隔でドットが並べられたドットラインを、当該部位に相当する位置に表示する画像を作成する。このようなドットライン画像を各部位について作成する。
【００９９】
また、ぴったり度計算／画面作成部５５は、隣り合うドットラインの間隔が予め定めた値以上である場合に、その中央に、隣り合うドットラインのドット間隔の中間のドット間隔のドットラインを描く。この処理は、隣り合うドットラインの間隔が予め定めた値未満になるまで繰り返される（ステップ４４）。そして、ステップ４１〜ステップ４４で作成したドット画像に、商品の画像を重ね合わせた画像を作成する（ステップ４５）。
【０１００】
ぴったり度計算／画面作成部５５は、各コーディネート対象候補商品に対して求めたぴったり度と画像データとを提供情報作成部５７に渡る。
【０１０１】
図１３のステップ３８において、提供情報作成部５７は、ぴったり度計算／画面作成部５５から受け取った情報と、類似度計算部５６から受け取った情報を商品毎に並べたリストを作成し、それをコーディネート情報リストとしてユーザ端末１に送信する。なお、コーディネート情報リストに含める画像情報として、ぴったり度計算／画面作成部５５が作成する画像に、ユーザからの要求に含まれていた商品の画像を組み合わせたものを用いてもよい。これにより、コーディネートされた状態の画像をユーザは見ることができる。
【０１０２】
コーディネート情報リストを見たユーザにとって気に入った商品があれば、例えばユーザ端末１はユーザによる操作に基づき、コーディネート情報作成提供システム３から提供される当該商品の販売サイトのURLにアクセスし、商品の購入を行う。もちろん、コーディネート情報作成提供システム３の中に商品販売機能を備えることとしてもよい。
【０１０３】
（他の適用例等）
以上、商品として衣料品を想定して本実施の形態を説明したが、本発明は複数アイテムの組み合わせでコーディネートを構成する商品であればどのような商品にでも上記と同じ手法で適用できる。そのような商品としては例えば家具、食器等がある。
【０１０４】
商品として衣料品等の物ばかりでなく、音楽等のコンテンツデータに対しても本発明を適用できる。
【０１０５】
つまり、音楽の場合で言えば、ユーザが保有する音楽（音楽データ）と、その音楽にマッチする（つまりコーディネートされる）ものとしてユーザが希望する音楽に関する項目情報（項目Bに相当）を本システムが受信し、ユーザが保有する音楽データにマッチする音楽の候補をユーザに提示する。この場合、上記の実施に形態における画像を音楽（音楽データ）に置き換え、また、類似画像検索を類似楽曲検索に置き換えればよい。また、特徴量は画像の特徴量ではなく音楽の特徴量を用いる。なお、特許請求の範囲における"商品"は、衣料品等の物のみでなく、音楽等のコンテンツデータを含む意味で使用している。また特許請求の範囲における"商品情報"は、衣料品等の物に関する情報のみでなく、音楽等のコンテンツに関する情報（音楽データそのもの、音楽の特徴量等）を含む意味で使用している。
【０１０６】
更に、物としての商品と音楽等のコンテンツとを含むトータルなコーディネートに対しても本発明を適用できる。例えば、家のトータルコーディネート（カーテン、インテリア家具、壁紙、家電、家の中で流す音楽等のコーディネート）に本発明を適用できる。
【０１０７】
（実施の形態の効果）
本実施の形態で説明したシステムによれば、ユーザは既に持っている商品とコーディネートされ得る様々な商品の情報を通信ネットワークを介して得ることができるので、例えば、実際のお店で店員から受けるコーディネートアドバイスと同等の情報を得ることができる。また、本システムから豊富な量のコーディネート対象候補商品が提示されるため、通常が選ばないような商品も提示される場合があり、ユーザにとって新しい気づきを得られる場合がある。
【０１０８】
また、ユーザは購入候補の商品のぴったり感や類似度をユーザ端末上で確認できるため、実際に試着をしなくてもサイズ違いや好みの違いなどの不安なく安心して商品を購入できる。
【０１０９】
また、通信ネットワークを介して商品を販売する側にとって、必要最低限の数のコーディネートサンプルを用意するだけで、豊富な量のコーディネート対象候補商品を自動的に提示できるようになる。
【０１１０】
また、商品のぴったり感や類似度をユーザに提示できるため、ユーザにとって希望と異なる商品を提供してしまう可能性が低くなり、返品等の手間が少なくなる。
【０１１１】
本発明は、上記の実施の形態に限定されることなく、特許請求の範囲内において、種々変更・応用が可能である。    
【図面の簡単な説明】
【０１１２】
【図１】本発明の実施の形態におけるシステムの全体構成図である。
【図２】コーディネート情報作成提供システム３の機能構成図である。
【図３】コーディネート情報作成提供システム３における処理の流れの概要を示すフローチャートである。
【図４】商品情報登録処理のフローチャートである。
【図５】商品管理データベース３８に格納されるデータの一例を示す図である。
【図６】商品の位置情報を説明するための図である。
【図７】類似サンプルデータベース３９に格納されるデータの一例を示す図である。
【図８】コーディネート情報作成処理のフローチャートである。
【図９】コーディネートサンプルデータベース４０に格納されるデータの一例を示す図である。
【図１０】コーディネート情報データベース４１に格納されるデータの一例を示す図である。
【図１１】コーディネート情報提供部３５の機能構成図である。
【図１２】ユーザデータベース３７に格納されるデータの一例を示す図である。
【図１３】コーディネート情報提供処理のフローチャートである。
【図１４】ぴったり度計算／画面作成部５５が作成する画面の一例を示す図である。
【図１５】ぴったり度計算／画面作成部５５が作成する画面の他の例を示す図である。
【図１６】画面データ作成処理のフローチャートである。
【符号の説明】
【０１１３】
１  ユーザ端末
３  コーディネート情報作成提供システム
５  商品販売サイト提供システム
３１  通信機能部
３２  認証部
３３  商品情報作成部
３４  コーディネート情報作成部
３５  コーディネート情報提供部
３６  サイトデータベース
３７  ユーザデータベース
３８  商品管理データベース
３９  類似サンプルデータベース
４０  コーディネートサンプルデータベース
４１  コーディネート情報データベース
５１  ユーザインタフェース部
５２  ユーザ情報登録部
５３  類似画像検索部
５４  コーディネート対象候補商品情報取得部
５５  ぴったり度計算／画面作成部
５６  類似度計算部
５７  提供情報作成部
【図１】
2009199561.tif 000006
【図２】
2009199561.tif 000007
【図３】
2009199561.tif 000008
【図４】
2009199561.tif 000009
【図５】
2009199561.tif 000010
【図６】
2009199561.tif 000011
【図７】
2009199561.tif 000012
【図８】
2009199561.tif 000013
【図９】
2009199561.tif 000014
【図１０】
2009199561.tif 000015
【図１１】
2009199561.tif 000016
【図１２】
2009199561.tif 000017
【図１３】
2009199561.tif 000018
【図１４】
2009199561.tif 000019
【図１５】
2009199561.tif 000020
【図１６】
2009199561.tif 000021